【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
記憶部と制御部とを少なくとも備えたナビゲーションサーバ、および、入力部と出力部と制御部と複数の測位手段とを少なくとも備えた端末装置を備えたナビゲーションシステムであって、
上記ナビゲーションサーバの上記記憶部は、
地図データを記憶する地図データ記憶手段と、
上記測位手段と、当該測位手段が上記地図データ中で測位可能な範囲を示す測位範囲情報と、を対応付けて記憶する測位手段記憶手段と、
を備え、
上記ナビゲーションサーバの上記制御部は、
上記端末装置から要求された上記地図データを上記地図データ記憶手段から取得する地図データ取得手段と、
上記地図データ取得手段にて取得された上記地図データに対応する上記測位手段および上記測位範囲情報を上記測位手段記憶手段から取得し、当該地図データ中の当該測位範囲情報で示す範囲において当該測位手段が選択可能であることを示す切替可能測位手段情報を生成し、当該地図データおよび当該切替可能測位手段情報を上記端末装置に送信する地図データ送信手段と、
を備え、
上記端末装置の上記制御部は、
上記ナビゲーションサーバから上記地図データおよび上記切替可能測位手段情報を受信する地図データ受信手段と、
上記地図データ受信手段にて受信した上記地図データおよび上記切替可能測位手段情報を上記出力部を制御して出力する切替可能測位手段情報出力手段と、
上記切替可能測位手段情報出力手段にて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替える測位手段切替手段と、
を備えたことを特徴とするナビゲーションシステム。
【請求項２】
請求項１に記載のナビゲーションシステムにおいて、
上記切替可能測位手段情報出力手段は、
上記端末装置の現在位置から所定範囲内にある上記切替可能測位手段情報を上記出力部を制御して出力すること、を特徴とするナビゲーションシステム。
【請求項３】
請求項１または２に記載のナビゲーションシステムにおいて、
上記切替可能測位手段情報出力手段は、
上記地図データ中の上記切替可能測位手段情報によって上記測位手段が選択可能であることが示された、上記測位範囲情報で示す範囲を強調表示して上記出力部を制御して出力すること、を特徴とするナビゲーションシステム。
【請求項４】
請求項１乃至３のいずれか一つに記載のナビゲーションシステムにおいて、
上記切替可能測位手段情報出力手段は、
上記切替可能測位手段情報を上記利用者が選択可能なメニュー形式にて上記出力部を制御して出力すること、を特徴とするナビゲーションシステム。
【請求項５】
ナビゲーションサーバに通信可能に接続された、入力部と出力部と制御部と複数の測位手段とを少なくとも備えた端末装置であって、
上記制御部は、
上記ナビゲーションサーバから、上記端末装置から要求された地図データ、および、当該地図データに対応する上記測位手段と当該測位手段が当該地図データ中で測位可能な範囲を示す測位範囲情報とから生成された、当該地図データ中の当該測位範囲情報で示す範囲において当該測位手段が選択可能であることを示す切替可能測位手段情報、を受信する地図データ受信手段と、
上記地図データ受信手段にて受信した上記地図データおよび上記切替可能測位手段情報を上記出力部を制御して出力する切替可能測位手段情報出力手段と、
上記切替可能測位手段情報出力手段にて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替える測位手段切替手段と、
を備えたことを特徴とする端末装置。
【請求項６】
入力部と出力部と複数の測位手段とを少なくとも備えた端末装置に通信可能に接続された、記憶部と制御部とを少なくとも備えたナビゲーションサーバであって、
上記記憶部は、
地図データを記憶する地図データ記憶手段と、
上記測位手段と、当該測位手段が上記地図データ中で測位可能な範囲を示す測位範囲情報と、を対応付けて記憶する測位手段記憶手段と、
を備え、
上記制御部は、
上記端末装置から要求された上記地図データを上記地図データ記憶手段から取得する地図データ取得手段と、
上記地図データ取得手段にて取得された上記地図データに対応する上記測位手段および上記測位範囲情報を上記測位手段記憶手段から取得し、当該地図データ中の当該測位範囲情報で示す範囲において当該測位手段が選択可能であることを示す切替可能測位手段情報を生成する切替可能測位手段情報生成手段と、
上記地図データ取得手段にて取得された上記地図データおよび上記切替可能測位手段情報生成手段にて生成された上記切替可能測位手段情報を上記端末装置へ送信することにより、当該端末装置の上記出力部を制御して出力させる切替可能測位手段情報出力制御手段と、
上記切替可能測位手段情報出力制御手段にて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替えるよう制御する測位手段切替制御手段と、
を備えたことを特徴とするナビゲーションサーバ。
【請求項７】
入力部と出力部と記憶部と制御部と複数の測位手段とを少なくとも備えたナビゲーション装置であって、
上記記憶部は、
地図データを記憶する地図データ記憶手段と、
上記測位手段と、当該測位手段が上記地図データ中で測位可能な範囲を示す測位範囲情報と、を対応付けて記憶する測位手段記憶手段と、
を備え、
上記制御部は、
要求された上記地図データを上記地図データ記憶手段から取得する地図データ取得手段と、
上記地図データ取得手段にて取得された上記地図データに対応する上記測位手段および上記測位範囲情報を上記測位手段記憶手段から取得し、当該地図データ中の当該測位範囲情報で示す範囲において当該測位手段が選択可能であることを示す切替可能測位手段情報を生成する切替可能測位手段情報生成手段と、
上記地図データ取得手段にて取得された上記地図データおよび上記切替可能測位手段情報生成手段にて生成された上記切替可能測位手段情報を上記出力部を制御して出力する切替可能測位手段情報出力手段と、
上記切替可能測位手段情報出力手段にて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替える測位手段切替手段と、
を備えたことを特徴とするナビゲーション装置。
【請求項８】
記憶部と制御部とを少なくとも備えたナビゲーションサーバ、および、入力部と出力部と制御部と複数の測位手段とを少なくとも備えた端末装置を備えたナビゲーションシステムにおいて実行されるナビゲーション方法であって、
上記ナビゲーションサーバの上記記憶部は、
地図データを記憶する地図データ記憶手段と、
上記測位手段と、当該測位手段が上記地図データ中で測位可能な範囲を示す測位範囲情報と、を対応付けて記憶する測位手段記憶手段と、
を備え、
上記ナビゲーションサーバの上記制御部において実行される、上記端末装置から要求された上記地図データを上記地図データ記憶手段から取得する地図データ取得ステップと、
上記ナビゲーションサーバの上記制御部において実行される、上記地図データ取得ステップにて取得された上記地図データに対応する上記測位手段および上記測位範囲情報を上記測位手段記憶手段から取得し、当該地図データ中の当該測位範囲情報で示す範囲において当該測位手段が選択可能であることを示す切替可能測位手段情報を生成し、当該地図データおよび当該切替可能測位手段情報を上記端末装置に送信する地図データ送信ステップと、
上記端末装置の上記制御部において実行される、上記ナビゲーションサーバから上記地図データおよび上記切替可能測位手段情報を受信する地図データ受信ステップと、
上記端末装置の上記制御部において実行される、上記地図データ受信ステップにて受信した上記地図データおよび上記切替可能測位手段情報を上記出力部を制御して出力する切替可能測位手段情報出力ステップと、
上記端末装置の上記制御部において実行される、上記切替可能測位手段情報出力ステップにて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替える測位手段切替ステップと、
を含むことを特徴とするナビゲーション方法。
【請求項９】
ナビゲーションサーバに通信可能に接続された、入力部と出力部と制御部と複数の測位手段とを少なくとも備えた端末装置において実行されるナビゲーション方法であって、
上記制御部において実行される、
上記ナビゲーションサーバから、上記端末装置から要求された地図データ、および、当該地図データに対応する上記測位手段と当該測位手段が当該地図データ中で測位可能な範囲を示す測位範囲情報とから生成された、当該地図データ中の当該測位範囲情報で示す範囲において当該測位手段が選択可能であることを示す切替可能測位手段情報、を受信する地図データ受信ステップと、
上記地図データ受信ステップにて受信した上記地図データおよび上記切替可能測位手段情報を上記出力部を制御して出力する切替可能測位手段情報出力ステップと、
上記切替可能測位手段情報出力ステップにて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替える測位手段切替ステップと、
を含むことを特徴とするナビゲーション方法。
【請求項１０】
入力部と出力部と複数の測位手段とを少なくとも備えた端末装置に通信可能に接続された、記憶部と制御部とを少なくとも備えたナビゲーションサーバにおいて実行されるナビゲーション方法であって、
上記記憶部は、
地図データを記憶する地図データ記憶手段と、
上記測位手段と、当該測位手段が上記地図データ中で測位可能な範囲を示す測位範囲情報と、を対応付けて記憶する測位手段記憶手段と、
を備え、
上記制御部において実行される、
上記端末装置から要求された上記地図データを上記地図データ記憶手段から取得する地図データ取得ステップと、
上記地図データ取得ステップにて取得された上記地図データに対応する上記測位手段および上記測位範囲情報を上記測位手段記憶手段から取得し、当該地図データ中の当該測位範囲情報で示す範囲において当該測位手段が選択可能であることを示す切替可能測位手段情報を生成する切替可能測位手段情報生成ステップと、
上記地図データ取得ステップにて取得された上記地図データおよび上記切替可能測位手段情報生成ステップにて生成された上記切替可能測位手段情報を上記端末装置へ送信することにより、当該端末装置の上記出力部を制御して出力させる切替可能測位手段情報出力制御ステップと、
上記切替可能測位手段情報出力制御ステップにて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替えるよう制御する測位手段切替制御ステップと、
を含むことを特徴とするナビゲーション方法。
【請求項１１】
入力部と出力部と記憶部と制御部と複数の測位手段とを少なくとも備えたナビゲーション装置において実行されるナビゲーション方法であって、
上記記憶部は、
地図データを記憶する地図データ記憶手段と、
上記測位手段と、当該測位手段が上記地図データ中で測位可能な範囲を示す測位範囲情報と、を対応付けて記憶する測位手段記憶手段と、
を備え、
上記制御部において実行される、
要求された上記地図データを上記地図データ記憶手段から取得する地図データ取得ステップと、
上記地図データ取得ステップにて取得された上記地図データに対応する上記測位手段および上記測位範囲情報を上記測位手段記憶手段から取得し、当該地図データ中の当該測位範囲情報で示す範囲において当該測位手段が選択可能であることを示す切替可能測位手段情報を生成する切替可能測位手段情報生成ステップと、
上記地図データ取得ステップにて取得された上記地図データおよび上記切替可能測位手段情報生成ステップにて生成された上記切替可能測位手段情報を上記出力部を制御して出力する切替可能測位手段情報出力ステップと、
上記切替可能測位手段情報出力ステップにて出力された上記切替可能測位手段情報を上記端末装置の利用者が上記入力部を介して選択した場合に、当該選択された上記切替可能測位手段情報に対応する上記測位範囲情報で示す範囲内において、当該選択された上記切替可能測位手段情報に対応する上記測位手段に切り替える測位手段切替ステップと、
を含むことを特徴とするナビゲーション方法。